【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
第１系統及び第２系統を含む少なくとも２系統の直流電源を供給する電源供給装置から前記少なくとも２系統の直流電源が供給され、作動電流が流れて機械的に作動する手段または機械的な作動によって作動電流が流れる手段を有する作動装置に、前記第１系統の直流電源により発生する制御信号と前記第２系統の直流電源により発生する作動電流とを供給するように構成されたプリント配線基板であって、
前記第１系統の電源配線と前記第１系統のＧＮＤ配線との対と、前記第２系統の電源配線と前記第２系統のＧＮＤ配線との対とを有し、
前記第１系統のＧＮＤ配線と前記第２系統のＧＮＤ配線とは、前記プリント配線基板内で独立した配線パターンまたは配線プレーンで構成されており、前記第１系統のＧＮＤ配線と前記第２系統のＧＮＤ配線との間は、ｋＨｚ以下の低周波のノイズ電流を阻止すると共に両端の電位差を所定値以下に制限する制限素子及び前記制限素子に並列に接続された少なくとも１つの容量性素子を介して接続されていることを特徴とするプリント配線基板。
【請求項２】
前記少なくとも１つの容量性素子は、前記第１系統のＧＮＤ配線と前記第２系統のＧＮＤ配線との間に直列に接続された複数の容量性素子であることを特徴とする請求項１に記載のプリント配線基板。
【請求項３】
前記制限素子は、前記第１系統のＧＮＤ配線と前記第２系統のＧＮＤ配線とが前記電源供給装置の対応するＧＮＤ配線と接続する前記プリント配線基板の位置の近傍に配置されていることを特徴とする請求項１または２に記載のプリント配線基板。
【請求項４】
前記制限素子は抵抗器であり、
前記抵抗器の抵抗値は、前記抵抗器で生じる電圧降下が前記プリント配線基板に搭載される回路の誤動作を防止する第１抵抗値以上であって、前記第１系統のＧＮＤ配線または前記第２系統のＧＮＤ配線のいずれか一方が前記電源供給装置のＧＮＤ配線と非接続となる状態において、前記抵抗器に電流が流れることによって前記抵抗器の両端に生じる電位差が前記第１系統の電源電圧と前記第２系統の電源電圧との低い方の電圧以下となる第２抵抗値以下の範囲に選定されていることを特徴とする請求項１乃至３のいずれか１項に記載のプリント配線基板。
【請求項５】
前記制限素子はインダクタンス素子であり、
前記インダクタンス素子のインピーダンス値は、前記インダクタンス素子で生じる電圧降下が前記プリント配線基板に搭載される回路の誤動作を防止する第１インピーダンス値以上であって、前記第１系統のＧＮＤ配線または前記第２系統のＧＮＤ配線のいずれか一方が前記電源供給装置のＧＮＤ配線と非接続となる状態において、前記インダクタンス素子に電流が流れることによって前記インダクタンス素子の両端に生じる電位差が前記第１系統の電源電圧と前記第２系統の電源電圧との低い方の電圧以下となる第２インピーダンス値以下の範囲に選定されていることを特徴とする請求項１乃至３のいずれか１項に記載のプリント配線基板。
【請求項６】
前記制限素子は双方向に並列に接続されたダイオードであり、前記第１系統のＧＮＤ配線と前記第２系統のＧＮＤ配線間をいずれの方向からも電流が流れるように接続されていることを特徴とする請求項１乃至３のいずれか１項に記載のプリント配線基板。
【請求項７】
前記制限素子は前記第２系統のＧＮＤ配線から前記第１系統のＧＮＤ配線に電流が流れる方向に接続されたツェナーダイオードであり、
前記ツェナーダイオードは、前記第１系統のＧＮＤ配線または前記第２系統のＧＮＤ配線のいずれか一方が前記電源供給装置のＧＮＤ配線と非接続となる状態において、前記ツェナーダイオードに電流が流れることによって前記ツェナーダイオードの両端に生じる電位差が前記第１系統の電源電圧と前記第２系統の電源電圧とのいずれか低い方の電圧以下の範囲となるように選定されていることを特徴とする請求項１乃至３のいずれか１項に記載のプリント配線基板。
【請求項８】
前記第１系統のＧＮＤ配線または前記第２系統のＧＮＤ配線の間に前記制限素子と直列に接続された抵抗器を含むことを特徴とする請求項６または７に記載のプリント配線基板。
【請求項９】
電源配線が配線パターンまたは配線プレーンで少なくとも２系統に独立または分岐され、ＧＮＤ配線が配線パターンまたは配線プレーンで接続された、第１系統及び第２系統を含む少なくとも２系統の直流電源を供給する電源供給部と、前記少なくとも２系統の直流電源が供給されるプリント配線基板と、前記電源供給装置と前記プリント配線基板とを接続する線材と、作動電流が流れて機械的に作動される手段または機械的な作動によって作動電流が流れる手段を有する作動部とを備えた装置において、
前記プリント配線基板が、
前記第１系統の電源配線と前記第１系統のＧＮＤ配線との対と、前記第２系統の電源配線と前記第２系統のＧＮＤ配線との対とを有し、
前記第１系統のＧＮＤ配線と前記第２系統のＧＮＤ配線とは、前記プリント配線基板内で独立した配線パターンまたは配線プレーンで構成されており、前記第１系統のＧＮＤ配線と前記第２系統のＧＮＤ配線との間は、ｋＨｚ以下の低周波のノイズ電流を阻止すると共に両端の電位差を所定値以下に制限する制限素子及び前記制限素子に並列に接続された少なくとも１つの容量性素子を介して接続されていることを特徴とする装置。
【請求項１０】
前記少なくとも１つの容量性素子は、前記第１系統のＧＮＤ配線と前記第２系統のＧＮＤ配線との間に直列に接続された複数の容量性素子からなることを特徴とする請求項９に記載の装置。
【請求項１１】
前記制限素子は、前記第１系統のＧＮＤ配線と前記第２系統のＧＮＤ配線とが前記電源供給部の対応するＧＮＤ配線と接続する前記プリント配線基板の位置の近傍に配置されていることを特徴とする請求項９または１０に記載の装置。
【請求項１２】
前記制限素子は、抵抗器、インダクタンス素子、双方向に並列に接続されたダイオード、前記第２系統のＧＮＤ配線から前記第１系統のＧＮＤ配線に電流が流れる方向に接続されたツェナーダイオードのいずれかであることを特徴とする請求項９乃至１１のいずれか１項に記載の装置。
【請求項１３】
前記第１系統の電源配線および前記第１系統のＧＮＤ配線は制御信号を生成して伝達する信号制御系回路へ電源供給として接続され、前記第２系統の電源配線および前記第２系統のＧＮＤ配線はパワー系回路である大電流回路への電力供給として接続されることを特徴とする請求項９乃至１２のいずれか１項に記載の装置。
【請求項１４】
前記信号制御系回路は、ＭＨｚ帯域以上の基本波成分を備えた信号回路、Ａ／Ｄコンバータ回路、Ｄ／Ａコンバータ回路、マイクロコントローラ、ＡＳＩＣのいずれかを含むことを特徴とする請求項１３に記載の装置。
【請求項１５】
前記大電流回路は、ＫＨｚ帯域の基本波成分を備えた回路であって、モータ、アクチュエータ、開閉動作するスイッチの下流に容量性素子が構成される回路を含むことを特徴とする請求項１３または１４に記載の装置。
【請求項１６】
前記プリント配線基板が少なくとも２つの前記作動部と各線材で接続された装置であって、
前記各線材が接続された前記プリント配線基板の各線材の接続個所の近傍に、前記第１系統のＧＮＤ配線と前記第２系統のＧＮＤ配線を接続する容量性素子をそれぞれ設けていることを特徴とする請求項９乃至１５のいずれか１項に記載の装置。
【請求項１７】
前記装置はレーザビームプリンタを含む画像形成装置であることを特徴とする請求項９乃至１６のいずれか１項に記載の装置。
【手続補正２】
【補正対象書類名】明細書
【補正対象項目名】００３１
【補正方法】変更
【補正の内容】
【００３１】
第１系統及び第２系統を含む少なくとも２系統の直流電源を供給する電源供給装置から前記少なくとも２系統の直流電源が供給され、作動電流が流れて機械的に作動する手段または機械的な作動によって作動電流が流れる手段を有する作動装置に、前記第１系統の直流電源により発生する制御信号と前記第２系統の直流電源により発生する作動電流とを供給するように構成されたプリント配線基板であって、前記第１系統の電源配線と前記第１系統のＧＮＤ配線との対と、前記第２系統の電源配線と前記第２系統のＧＮＤ配線との対とを有し、前記第１系統のＧＮＤ配線と前記第２系統のＧＮＤ配線とは、前記プリント配線基板内で独立した配線パターンまたは配線プレーンで構成されており、前記第１系統のＧＮＤ配線と前記第２系統のＧＮＤ配線との間は、ｋＨｚ以下の低周波のノイズ電流を阻止すると共に両端の電位差を所定値以下に制限する制限素子及び前記制限素子に並列に接続された少なくとも１つの容量性素子を介して接続されていることを特徴とする。
【手続補正３】
【補正対象書類名】明細書
【補正対象項目名】００３３
【補正方法】変更
【補正の内容】
【００３３】
電源配線が配線パターンまたは配線プレーンで少なくとも２系統に独立または分岐され、ＧＮＤ配線が配線パターンまたは配線プレーンで接続された、第１系統及び第２系統を含む少なくとも２系統の直流電源を供給する電源供給部と、前記少なくとも２系統の直流電源が供給されるプリント配線基板と、前記電源供給装置と前記プリント配線基板とを接続する線材と、作動電流が流れて機械的に作動される手段または機械的な作動によって作動電流が流れる手段を有する作動部とを備えた装置において、前記プリント配線基板が、前記第１系統の電源配線と前記第１系統のＧＮＤ配線との対と、前記第２系統の電源配線と前記第２系統のＧＮＤ配線との対とを有し、前記第１系統のＧＮＤ配線と前記第２系統のＧＮＤ配線とは、前記プリント配線基板内で独立した配線パターンまたは配線プレーンで構成されており、前記第１系統のＧＮＤ配線と前記第２系統のＧＮＤ配線との間は、ｋＨｚ以下の低周波のノイズ電流を阻止すると共に両端の電位差を所定値以下に制限する制限素子及び前記制限素子に並列に接続された少なくとも１つの容量性素子を介して接続されていることを特徴とする。